(57)【要約】【課題】本願発明の課題は、従来の問題を解決することであり、すなわち、設置後の支承の高さ調整が容易であり、使用部材の発錆の懸念がなく、しかもモルタル等がクリープしても支承に大きな影響を与えることのない、支承設置方法、及び支承構造を提供することである。【解決手段】本願発明の支承設置方法は、少なくとも支承設置工程と、高さ調整工程、注入工程、ボルト抜き取り工程を備えた方法である。支承設置工程では、支承を支持する下部基礎のうち、支承を設置する位置に設けられた箱抜き部に、高さ調整ボルトの下端を載せることで、支承の設置が行われる。高さ調整工程では、高さ調整ボルトを回転させることで支承の設置高さの調整が行われる。注入工程では、箱抜き部に充填材が注入され、ボルト抜き取り工程では、充填材が所定強度に達するまで待ったうえで高さ調整ボルトが抜き取られる。【選択図】図３
2016008463.tif 000002
【特許請求の範囲】
【請求項１】
設置高さの調整が可能な支承設置方法において、
前記支承は、２以上のボルト挿通孔、及び該ボルト挿通孔に挿通された高さ調整ボルトを備え、
前記支承を支持する下部基礎のうち、該支承を設置する位置に設けられた箱抜き部に、前記高さ調整ボルトの下端を載せることによって、前記支承を設置する支承設置工程と、
前記高さ調整ボルトを回転させることによって、前記支承の設置高さを調整する高さ調整工程と、
前記箱抜き部に充填材を注入する注入工程と、
前記充填材が所定強度に達した後に、前記高さ調整ボルトを抜き取るボルト抜き取り工程と、
を備えたことを特徴とする支承設置方法。
【請求項２】
前記支承設置工程の後に、上部工を前記支承に設置するとともに、該上部工を設置した状態で前記高さ調整工程を行う、ことを特徴とする請求項１記載の支承設置方法。
【請求項３】
前記支承設置工程前に、ボルト支持体を設置する支持体設置工程と、をさらに備え、
前記支承設置工程では、前記高さ調整ボルトの下端を前記ボルト支持体の上に載せることを特徴とする請求項１又は請求項２記載の支承設置方法。
【請求項４】
前記支承が、上下に略平行に配置された上沓及び下沓を具備し、
前記箱抜き部の箱抜き深さが、前記上沓と前記下沓の沓配置間隔よりも大きいときは、前記支承設置工程では、該箱抜き深さと該沓配置間隔との寸法差よりも厚い前記ボルト支持体を設置することを特徴とする請求項３記載の支承設置方法。
【請求項５】
前記支承設置工程前に、ボルト養生型枠を設置する型枠設置工程と、をさらに備え、
前記注入工程で注入された前記充填材、及び前記ボルト養生型枠によって、ボルト養生空間が形成され、
前記支承設置工程では、前記高さ調整ボルトを前記ボルト養生型枠内に配置することを特徴とする請求項１乃至請求項４のいずれかに記載の支承設置方法。
【請求項６】
設置高さの調整が可能な支承構造において、
下沓を含む支承と、該支承を支持する下部基礎と、該下部基礎のうち支承を設置する位置に設けられた箱抜き部と、該箱抜き部内に注入された充填材が硬化した硬化体と、を備え、
前記下沓は、上下方向を軸とするアンカー体が固定され、
さらに前記下沓は、２以上のボルト挿通孔が設けられるとともに、該ボルト挿通孔に挿通された高さ調整ボルトを具備し、
前記アンカー体及び前記高さ調整ボルトは、前記箱抜き部内に収められ、
前記箱抜き部に前記支承を設置した後、前記高さ調整ボルトを回転させることによって、前記支承の設置高さの調整が可能であり、
前記充填材が所定強度に達した後、前記高さ調整ボルトは抜き取り可能であって、該高さ調整ボルト抜き取り後の空間に充填材が注入された、ことを特徴とする支承構造。
【発明の詳細な説明】
【技術分野】
【０００１】
本願発明は、支承に関する技術であり、より具体的には、設置高さの調整が容易であって、しかも設置後に充填モルタル等のクリープによる影響を受けにくい支承設置方法、及び支承構造に関する技術である。
【背景技術】
【０００２】
支承は、橋梁の上部工と下部工の間に設置され、上部工からの活荷重や死荷重を下部工に伝達するもので、いわば上部工の支点となるものである。この支承は、上部工の水平移動や回転を拘束する固定支承と、水平移動や回転を自由にする可動支承に大別され、さらに可動支承は、水平移動を自由にするローラー支承や、回転を自由にするピン支承などに分けられる。
【０００３】
また支承には、地震時における上部工の振動を減衰する機能を有するものもあり、このような支承は免震支承と呼ばれる。例えば免震ゴム支承は、ゴムのせん断剛性を利用することで上部工の固有周期を長くし、これによって上部工の振動を減衰することができる。
【０００４】
図７は、一般的なゴム支承Ａを橋台上に設置した状態を示す断面図である。この図に示すように、ゴム支承Ａは、上沓Ａ１と下沓Ａ２、これらの間に配置された積層体Ａ３によって主に構成されている。このうち積層体Ａ３は、鋼板とゴムを交互に積層して加硫接着したもので、鉛直方向には高い剛性を発揮し、水平方向には柔軟に変形するという特徴を備えている。
【０００５】
図７にも示すように、ゴム支承Ａが設置される箇所には、他よりも窪んだ空間（以下、「箱抜き部」という。）が設けられる。また、一般的なゴム支承ＡはアンカーＡ４を備えており、そのため箱抜き部にはアンカー埋設用の空間（以下、「アンカー孔」という。）も設けられる。橋台上にゴム支承Ａが設置されると、箱抜き部にはモルタルが充填され、このモルタルが硬化することでゴム支承Ａは橋台上に固定される。つまり、ゴム支承Ａの下方にはモルタルを充填するための空間が必要であり、したがってゴム支承Ａは、箱抜き部内に配置された台座（例えば、鋼製ライナーＢ）の上に設置されることになる。
【０００６】
図８は、橋台上にゴム支承Ａを設置する際の一般的な手順を示すモデル図である。この図の（ａ）に示すように、橋台の所定位置には箱抜き部が設けられている。手順としては、まず箱抜き部の所定位置に鋼製ライナーＢを配置し（図８（ｂ））、この鋼製ライナーＢの上にゴム支承Ａを設置する（図８（ｃ））。次に、アンカー孔を含む箱抜き部にモルタルを充填し（図８（ｄ））、このモルタルが所定の強度を発揮するまで養生する。モルタルが硬化するのを待って、ゴム支承Ａの上に橋桁Ｃを固定する（図８（ｅ））。
【０００７】
ところで、既に述べたとおり支承は上部工を載せるものであり、すなわち支承の設置精度がそのまま上部工の設置精度に直結することとなる。例えば、支承が計画高さよりも低い位置で設置されると、その上に据えられる上部工の高さも同じように計画より低くなるわけである。いうまでもなく橋梁は重要構造物であり、供用後の安全性を考えると当然に計画どおり設置されるべきであり、そのため支承の設置作業は極めて慎重に行われる。
【０００８】
一方、モルタルを充填するため、例えば図７のようにゴム支承Ａは鋼製ライナーＢの上に設置される。この場合、鋼製ライナーＢの製造精度や設置精度が、ゴム支承Ａの設置精度、ひいては上部工の設置精度に影響することとなる。ところが、鋼製ライナーＢあるいはゴム支承Ａを設置した後に、計画した設置高さと相違することが判明したとしても、その高さを調整することは容易ではない。計画高さよりも低い位置で設置したときは、高さ調整用のプレートを敷き重ねるなどの手段を講じることはできるが、計画高さよりも高い位置で設置したときは、鋼製ライナーＢを薄くするなどして調整しなければならない。また、ゴム支承Ａの水平姿勢を調整するため、ある鋼製ライナーＢは高くし、ある鋼製ライナーＢは低くするといった場合は、さらに複雑となる。
【０００９】
このような問題を解消するため、特許文献１では支承を設置した後でも高さ調整が可能な手法を提案している。具体的には、支承を載置するためのベースプレート高さを調整するもので、ベースプレートには雌ネジが切られており、さらにこの雌ネジに高さ調整ボルトが挿通され、このボルトを回転させることでベースプレートの上下移動を可能としている。
【先行技術文献】
【特許文献】
【００１０】
【特許文献１】特開平０６−００２３１３号公報
【発明の概要】
【発明が解決しようとする課題】
【００１１】
図７に示すように、ゴム支承Ａの下方にモルタルを充填するため、台座としての鋼製ライナーＢが設置されるのは既に述べたとおりであるが、この鋼製ライナーＢを設置することによって生じる問題がある。通常、モルタルを充填する箱抜き部はそれほど深いものではなく、したがって設置された鋼製ライナーＢはモルタルのかぶりが浅くなり、そのため発錆しやすいという短所がある。鋼製ライナーＢが錆びると、その上に載置された支承や上部工にまで影響することとなり、橋梁全体の耐久性が劣化するおそれがある。
【００１２】
また、硬化したモルタルは、時間の経過とともにクリープすることが知られている。つまり、図７に示すようにモルタルがクリープした場合、鋼製ライナーＢのみでゴム支承Ａを支えることとなる。その結果、点で支持された上沓Ａ１はたわみ変形を生じるおそれがある上、鋼製ライナーＢは過度の過重負担を強いられることとなる。鋼製ライナーＢに錆が生じている場合には、過度の荷重に耐えられないことも考えられる。
【００１３】
上記のとおり、鋼製ライナーＢを設置する従来手法は、設置後のゴム支承Ａの高さ調整が難しいという問題や、鋼製ライナーＢが発錆しやすいという問題、モルタルがクリープすることによる問題を抱えている。なお特許文献１は、高さ調整の問題を解消することはできるが、鋼製ライナーＢの代わりとなる高さ調整ボルトが発錆しやすい問題や、モルタルがクリープする問題を解消することはできない。
【００１４】
本願発明の課題は、従来の問題を解決することであり、すなわち、設置後の支承の高さ調整が容易であり、使用部材の発錆の懸念がなく、しかもモルタル等がクリープしても支承に大きな影響を与えることのない、支承設置方法、及び支承構造を提供することである。
【課題を解決するための手段】
【００１５】
本願発明は、支承の設置高さを調整するためにボルトを利用するとともに、高さ調整後にそのボルトを回収する、というこれまでにない発想に基づいて行われたものである。
【００１６】
本願発明の支承設置方法は、２以上のボルト挿通孔及びこれらボルト挿通孔に挿通された高さ調整ボルトを具備する支承の設置方法であり、少なくとも支承設置工程と、高さ調整工程、注入工程、ボルト抜き取り工程を備えた方法である。支承設置工程では、支承を支持する下部基礎のうち、支承を設置する位置に設けられた箱抜き部に、高さ調整ボルトの下端を載せることで、支承の設置が行われる。高さ調整工程では、高さ調整ボルトを回転させることで支承の設置高さの調整が行われる。注入工程では、箱抜き部に充填材が注入され、ボルト抜き取り工程では、充填材が所定強度に達するまで待ったうえで高さ調整ボルトが抜き取られる。
【００１７】
本願発明の支承設置方法は、支承設置工程の後に上部工を支承に設置し、その状態で高さ調整工程を行う方法とすることもできる。
【００１８】
本願発明の支承設置方法は、ボルト支持体を設置する支持体設置工程をさらに備えた方法とすることもできる。この場合の支承設置工程では、高さ調整ボルトの下端がボルト支持体の上に載せされる。なお、支承が上下に略平行に配置された上沓及び下沓を具備し、さらに箱抜き部の箱抜き深さが沓配置間隔（上沓と下沓との間隔）のよりも大きいときは、支承設置工程では、箱抜き深さと沓配置間隔との寸法差よりも厚いボルト支持体を設置するとよい。
【００１９】
本願発明の支承設置方法は、さらに型枠設置工程を備えた方法とすることもできる。この型枠設置工程は支承設置工程前に行われ、具体的にはボルト養生型枠が設置される。この場合の支承設置工程では、ボルト養生型枠内に高さ調整ボルトが配置され、その後の注入工程で注入された充填材とボルト養生型枠によってボルト養生空間が形成される。
【００２０】
本願発明の支承構造は、下沓を含む支承と、この支承を支持する下部基礎、下部基礎のうち支承を設置する位置に設けられた箱抜き部、箱抜き部内に注入された充填材が硬化した硬化体を備えた構造である。下沓には、上下方向を軸とするアンカー体が固定されており、さらに２以上のボルト挿通孔が設けられ、これらボルト挿通孔には高さ調整ボルトが挿通されている。なお、アンカー体及び高さ調整ボルトは、箱抜き部内に収められる。箱抜き部に支承を設置した後、高さ調整ボルトを回転させることによって、支承の設置高さの調整が可能であり、充填材が所定強度に達した後、高さ調整ボルトは抜き取り可能である。高さ調整ボルトを抜き取った後の空間には充填材が注入される。
【発明の効果】
【００２１】
本願発明の支承設置方法、及び支承構造には、次のような効果がある。
（１）支承を設置した後に、計画した設置高さと相違することが判明したとしても、高さ調整ボルトを回転させるだけで容易に高さ調整することができる。
（２）高さ調整ボルトや、従来用いられていた鋼製ライナーといった金属製部材を残置しないため、発錆に伴う耐久性劣化のおそれが軽減される。
（３）充填材がクリープ変形を生じたとしても、高さ調整ボルトは抜き取られているため支承もクリープ変形に追随し、したがって支承の設置姿勢（水平姿勢）の変化や支承のたわみ変形といったおそれがない。
【図面の簡単な説明】
【００２２】
【図１】本願発明で使用する支承の一例を示す側面図。
【図２】本願発明の主な工程の流れを示すフロー図。
【図３】本願発明の主な工程の流れを示すステップ図。
【図４】沓間隔と箱抜き深さとの寸法を示すとともに、これら寸法に応じたボルト支持体を設置した状態を示すモデル図。
【図５】養生型枠としてボイド管を箱抜き上面に設置し、その状態で支承を設置する様子を示すモデル図。
【図６】上部工設置後に支承の高さ調整を行う場合の、主な工程の流れを示すフロー図。
【図７】一般的なゴム支承を橋台上に設置した状態を示す断面図。
【図８】橋台上にゴム支承を設置する際の一般的な手順を示すモデル図。
【発明を実施するための形態】
【００２３】
本願発明の支承設置方法、及び支承構造の一例を、図に基づいて説明する。
【００２４】
１．支承
はじめに図１に基づいて、本願発明で使用する支承１００の一例を説明する。この図に示すように支承１００は、上部に水平配置された上沓１０１と、下部に水平配置された下沓１０２を備えている。そして、上沓１０１と下沓１０２の間には、鋼板とゴムを交互に積層して加硫接着した積層体１０３が配置され、下沓１０２には鉛直方向を軸とするアンカー１０４が固定されている。上沓１０１と下沓１０２は平面視すると矩形や円形などの形状で、これらよりやや面積の小さい積層体１０３も同様に平面視で矩形や円形などの形状となっている。また、ひとつの支承１００に複数のアンカー１０４が固定されることが多く、図１では４本のアンカー１０４を備えている。なお、上沓１０１、下沓１０２、積層体１０３、及びアンカー１０４からなる構成は従来のゴム支承と同様であり、すなわち市場に流通しているゴム支承を本願に利用することができる。
【００２５】
本願発明に使用する支承１００には、複数の高さ調整ボルト１０５が取り付けられている。後述するように、この高さ調整ボルト１０５は一時的に支承１００を支えることとなるため、ひとつの支承１００に対して複数の（望ましくは３本以上の）高さ調整ボルト１０５を取り付けるとよい。図１の支承１００には、４本の高さ調整ボルト１０５が取り付けられている。
【００２６】
高さ調整ボルト１０５は、下沓１０２に設けられたボルト挿通孔に挿通されている。このボルト挿通孔にはネジが切られており、高さ調整ボルト１０５を回転させると下沓１０２に対して相対的に上下方向に移動することができる。あるいは、下沓１０２に設けたボルト挿通孔にはネジを切らず、ナットを利用して高さ調整ボルト１０５を回転させることもできる。この場合、下沓１０２の上面かつボルト挿通孔の上面に、高さ調整ボルト１０５のサイズに適合するナット（図示しない）を溶接で取り付け、このナットに高さ調整ボルト１０５を挿通して高さ調整を行う。なお、支承１００設置後、高さ調整ボルト１０５は取り外すことになるので、高さ調整ボルト１０５の全長は、上沓１０１と下沓１０２との距離である沓間隔Ｈ１（すなわち積層体１０３の高さ）より短くする必要がある。
【００２７】
２．支承の設置
次に図２と図３を参考に、支承の設置方法について説明する。図２は本願発明の主な工程の流れを示すフロー図であり、図３はそのステップ図である。図２のフロー図に示すように、まずは橋台や橋脚といった下部基礎が構築される（Ｓｔｅｐ１０）。このとき、図３（ａ）に示すように、支承１００が設置される位置には、下部基礎の天端面よりも一段低い面（箱抜き上面２０１）を有する箱抜き部２００が形成される。この箱抜き部２００には、アンカー１０４を埋設するためのアンカー孔２０２も設けられている。
【００２８】
下部基礎に箱抜き部２００が形成されると、所定位置に支承１００を設置する（Ｓｔｅｐ３０）。このとき支承１００の設置は、高さ調整ボルト１０５を箱抜き上面２０１に載置させることで行われる。つまりこの時点では、複数の（この場合は４本の）高さ調整ボルト１０５によって支承１００は支持されるわけである。
【００２９】
なお、通常、下部基礎はコンクリート構造であり、すなわち高さ調整ボルト１０５はコンクリート上に載置されることになる。この高さ調整ボルト１０５は支承１００の自重を受け、その結果コンクリートには相当の支圧応力が作用するが、コンクリートの許容応力度によっては損傷することも考えられる。この場合は、高さ調整ボルト１０５が載置される位置に、合成樹脂板や鋼板あるいは高強度モルタルなどボルト支持体３００を設置するとよい。比較的大きな面積の支持体３００に自重を伝えることで、コンクリートに生ずる応力を軽減することができる。また、コンクリートに比べ、合成樹脂板や鋼板あるいは高強度モルタルの表面は滑らかであり、後に高さ調整ボルト１０５を回転させる際にも便宜となる。
【００３０】
ボルト支持体３００は、高さ調整ボルト１０５を抜き取り可能とするために設置する場合もある。図４は、沓間隔Ｈ１と箱抜き深さＨ２の寸法を示すとともに、これら寸法に応じたボルト支持体３００を設置した状態を示すモデル図である。なおここで箱抜き深さＨ２とは、下部基礎の天端面と箱抜き上面２０１との高低差である。図４に示すように、箱抜き深さＨ２が沓間隔Ｈ１よりも大きい（Ｈ２＞Ｈ１）と、下沓１０２を下部基礎の天端面より上に（あるいは同じ高さに）配置するためには、高さ調整ボルト１０５を沓間隔Ｈ１よりも長くしなければならない。その結果、支承１００設置後に高さ調整ボルト１０５を抜き取ることが難しくなる。そこで、箱抜き深さＨ２と沓間隔Ｈ１との寸法差よりも大きな厚さｔ（つまり、ｔ＞Ｈ２−Ｈ１）のボルト支持体３００を設置する。これにより、高さ調整ボルト１０５は沓間隔Ｈ１より短くすることができ、支承１００設置後、容易に抜き取ることができるわけである。
【００３１】
箱抜き上面２０１あるいはボルト支持体３００に高さ調整ボルト１０５を載せ、支承１００の設置（Ｓｔｅｐ３０）が完了すると、支承１００の設置高さを検査する。このとき、実際に設置された支承１００の高さが計画設置高さと相違する場合、計画高さとなるまで高さ調整を行う（Ｓｔｅｐ４０）。また、支承１００の設置姿勢が傾いている場合も、水平姿勢となるよう部分的に高さ調整を行う。このときの高さ調整は、高さ調整ボルト１０５を回転させることによって行われる。つまり、支承１００の設置高さを現状よりも高くしたいときは、高さ調整ボルト１０５が下沓１０２よりも下方に伸びるように回転させ、支承１００の設置高さを現状よりも低くしたいときは、その逆に回転させる。
【００３２】
高さ調整ボルト１０５が、計画高さで、そして水平姿勢で設置されたことが確認されると、図３（ｃ）に示すように箱抜き部２００内には充填材４００が注入される（Ｓｔｅｐ５０）。この充填材４００としては、従来からも多用されているモルタルを使用することができるが、これに限らずコンクリートを使用することもできるし、合成樹脂などを使用することもできる。
【００３３】
充填材４００を注入した後、この充填材４００が所定の強度となるまで養生を行う（Ｓｔｅｐ６０）。なおここでいう所定の強度とは、必ずしも充填材４００が完全に硬化したときに発揮する強度（いわば最終強度）に限らず、支承１００の自重をあずけ得る程度の強度とすることもできる。
【００３４】
充填材４００が所定の強度となるまで養生されると、図３（ｄ）に示すように高さ調整ボルト１０５が抜き取られる（Ｓｔｅｐ７０）。このとき、充填材４００が完全に硬化していない状態（所定強度の状態）とすれば、比較的容易に高さ調整ボルト１０５を回転させることができる。充填材４００注入前にあらかじめ高さ調整ボルト１０５に剥離剤を塗布しておくと、さらに容易に回転させることができて好適である。
【００３５】
また、高さ調整ボルト１０５の抜き取りを容易にする目的で、高さ調整ボルト１０５が充填材４００に接触しないよう、あらかじめ養生型枠５００を設置することもできる（Ｓｔｅｐ２１）。この養生型枠５００としては、筒状のものが良く、ボイド管などを例示することができる。図５は、養生型枠５００としてボイド管を箱抜き上面２０１に設置し、その状態で支承１００を設置する様子を示すモデル図である。この図に示すように、支承１００を設置する際、高さ調整ボルト１０５は養生型枠５００内に配置される。養生型枠５００が設置された状態で充填材４００は注入されるため、この養生型枠５００内には充填材４００が流入することはなく、結果的に充填材４００に囲まれた空間（以下、「ボルト養生空間」という。）が形成される。そして、高さ調整ボルト１０５はボルト養生空間内に配置されているので、充填材４００の影響を受けることがなく、容易に抜き取ることができるわけである。なお、ボルト養生空間が形成された後には、養生型枠５００は取り外す（Ｓｔｅｐ７１）ことが望ましく、また高さ調整ボルト１０５を抜き取った後には、ボルト養生空間内にはモルタルなどを充填しておくことが望ましい。このときのモルタル充填は、ボルト挿通孔を利用して行うとよい。
【００３６】
高さ調整ボルト１０５の抜き取り後、引き続き充填材４００の養生を行い（図３（ｅ））、図３（ｆ）に示すように橋桁などの上部工を設置していく（Ｓｔｅｐ８０）。なお現場状況によっては、図６に示すように、支承の設置を行った（Ｓｔｅｐ３０）後、その後続工程として上部工の設置を行い（Ｓｔｅｐ８０）、上部工が支承に設置された状態で支承の高さ調整を行う（Ｓｔｅｐ４０）こともできる。
【産業上の利用可能性】
【００３７】
本願発明の支承設置方法、及び支承構造は、道路橋、鉄道橋、管路橋といったあらゆる用途の橋梁に利用でき、河川橋、跨道橋、跨線橋など種々のものを越える橋梁に利用することができる。また、オフィスビルや工場施設など建築物の免震構造としても採用することができる。本願発明が、橋梁の施工品質を高め、また高品質の免震構造を提供することを考えれば、産業上利用できるばかりでなく社会的にも大きな貢献を期待し得る発明といえる。
【符号の説明】
【００３８】
１００    支承
１０１    上沓
１０２    下沓
１０３    積層体
１０４    アンカー
１０５    高さ調整ボルト
２００    箱抜き部
２０１    箱抜き上面
２０２    アンカー孔
３００    ボルト支持体
４００    充填材
５００    養生型枠
Ａ        ゴム支承
Ｂ        鋼製ライナー
Ｃ        橋桁
【図１】
2016008463.tif 000003
【図２】
2016008463.tif 000004
【図３】
2016008463.tif 000005
【図４】
2016008463.tif 000006
【図５】
2016008463.tif 000007
【図６】
2016008463.tif 000008
【図７】
2016008463.tif 000009
【図８】
2016008463.tif 000010